(57)【要約】【課題】浴槽開口部に、外側金具と内側金具とからなる浴槽循環口金具を、作業員一人で、迅速、確実に取付けできると共に、構造簡単で、安価につき、作業時間を短縮できる浴槽循環口金具取付用治具を提供する。【解決手段】浴槽循環口金具の外側金具２０の内筒２１内の給湯口又は戻湯口の入口凹み２１２に係止できる突起部１２と、係止した外側金具２０を浴槽開口部５１に引掛けるつば１３と、先端に突起部１２、中間部につば１３を設けたパイプ状の胴部１１とを備え、前記突起部１２を前記外側金具２０の内筒２１の入口凹み２１２に係止したのち、浴槽５０の外側から、前記外側金具２０を前記浴槽開口部５１につば１３を介して引掛けておき、浴槽５０の内側から、前記胴部１１に内側金具３０を外嵌して、前記外側金具２０に螺入して、浴槽循環口金具を、浴槽に一人の作業員で取付けできるようにしたもの。【選択図】        図５
2010200874.tif 000002
【特許請求の範囲】
【請求項１】
浴槽循環口金具の外側金具２０の内筒２１内の給湯口又は戻湯口の入口凹み２１２に係止できる突起部１２と、係止した外側金具２０を浴槽開口部５１に引掛けるつば１３と、先端に突起部１２、中間部につば１３を設けたパイプ状の胴部１１とを備え、前記突起部１２を前記外側金具２０の内筒２１の入口凹み２１２に係止したのち、浴槽５０の外側から、前記外側金具２０を前記浴槽開口部５１につば１３を介して引掛けておき、浴槽５０の内側から、前記胴部１１に内側金具３０を外嵌して、前記外側金具２０に螺入して、浴槽循環口金具を、浴槽に一人の作業員で取付けできるようにしたことを特徴とした浴槽循環口金具取付用治具。
【発明の詳細な説明】
【技術分野】
【０００１】
本発明は、浴槽循環口金具を浴槽の側壁に取付けるため使用する治具に関する。
【背景技術】
【０００２】
従来、浴槽循環口金具を浴槽開口部に、一人の作業員により取付ける場合、特開平９−２１０４７１号公報の図１乃至図７に示すような治具３５を用いていたが、外側金具１２の内筒１４に、治具３５の丸く曲げた金属線の係止部３８を弾性力で係止させているだけであるため、作業中に治具３５が内筒１４から外れやすく、その上、内側金具２９を外側金具１２の雌ねじ部１９に螺入する際には、外側金具１２が空転して螺入しにくい欠点があった。
そこで、本発明者は、一人の作業員で作業するとき、浴槽の外側からは、外側金具の内筒に本発明治具を挿入して、内筒の給湯口又は戻湯口の入口凹みに治具の突起を係止させたのち、外側金具を浴槽開口部に引掛けて外れることなく、また、浴槽の内側からは、外側金具を空転させることなく、内側金具を外側金具に、確実に螺入できる新製品を開発することに成功した。
【先行技術文献】
【特許文献】
【０００３】
【特許文献１】特開平９−２１０４７１号公報
【発明の概要】
【発明が解決しようとする課題】
【０００４】
本発明は、浴槽開口部に、外側金具と内側金具とからなる浴槽循環口金具を、作業員一人で、迅速、確実に取付けできる浴槽循環口金具取付用治具を提供するものである。
また、本発明は、構造簡単で、安価につき、作業時間を短縮できる浴槽循環口金具取付用治具を提供するものである。
【課題を解決するための手段】
【０００５】
本発明浴槽循環口金具取付用治具は、上記課題を達成するため、図示するように、浴槽循環口金具の外側金具２０の内筒２１内の給湯口又は戻湯口の入口凹み２１２に係止できる突起部１２と、係止した外側金具２０を浴槽開口部５１に引掛けるつば１３と、先端に突起部１２、中間部につば１３を設けたパイプ状の胴部１１とを備え、前記突起部１２を前記外側金具２０の内筒２１の入口凹み２１２に係止したのち、浴槽５０の外側から、前記外側金具２０を前記浴槽開口部５１につば１３を介して引掛けておき、浴槽５０の内側から、前記胴部１１に内側金具３０を外嵌して、前記外側金具２０に螺入して、浴槽循環口金具を、浴槽に一人の作業員で取付けできるようにしたものである。
本発明において、浴槽循環口金具は、外側金具と内側金具からなり、外側金具は、給湯配管及び戻湯配管に接続して、浴槽開口部の外側に取付け、内側金具は、浴槽開口部の内側から外側金具の雌ねじ部に螺入して、開口部を内外からはさんで取り付けられるものである。
また、本発明において、突起部は、治具の円筒状胴部の先端に、張り出して形成され、内筒に挿入すれば、内筒に凹所がないときは、没入することができる弾性のある材料が必要で、金属、半硬質の合成樹脂等が好ましい。
【発明の効果】
【０００６】
本発明浴槽循環口金具取付用治具は、治具先端の突起部が内筒奥の給湯口又は戻湯口の入口凹みに引掛かるので、作業中に外側金具から外れたり、内側金具の螺入が空転したりすることなく、浴槽循環口金具の取付作業が作業員一人で、迅速、確実にでき、作業コストを下げることができる。
【図面の簡単な説明】
【０００７】
【図１】本発明実施例の治具の正面図である。
【図２−１】図１の右側面説明図である。
【図２−２】図２−１の拡大した斜視図である。
【図２−３】図２−１の突起部が没入した状態を示す説明図である。
【図３】本発明実施例の使用状態説明図である。
【図４】本発明実施例の別の使用状態説明図である。
【図５】本発明実施例の別の使用状態説明図である。
【図６】本発明実施例のさらに別の使用状態説明図である。
【発明を実施するための形態】
【０００８】
本発明を実施するための最良の形態が図１乃至図６に示されている。
【実施例１】
【０００９】
本発明実施例が図１乃至図６に示されている。
本発明実施例の浴槽循環口金具取付用治具は、胴部１１と、突起部１２と、つば１３とを備えている。
胴部１１は、円筒状の直管に形成され、先端の円周の一部に突起部１２が形成され、胴部１１の中間部外周につば１３が連設されている。
突起部１２は、図２−１及び図２−２に示すように、先端から見て右回りの円周の一部（約１／４円の長さ）を、先端１２１が胴部１１の外周面より約２ミリメートル張り出した形状に形成されている。
つば１３は、胴部１１の中間部外周に、断面ほぼ正方形の円環状に形成されている。
従って、浴槽循環口金具取付用治具を使用するときは、図３に示すように、浴槽循環口金具の外側金具２０の内筒２１の内側に、治具１０を先端の突起部１２を没入させて挿入し、先端が内筒２１の底２１１に達したら、胴部１１を時計回りに回転させれば、没入した突起部１２が内筒２１の給湯口又は戻湯口の入口凹み２１２のところへ来ると、突起部１２の先端１２１が張り出して入口凹み２１２にはまり込み、治具１０は外側金具２０に係止される。
次いで、浴槽５０の外側から、浴槽開口部５１に治具１０の後端１４及びつば１３を挿入し、つば１３を浴槽開口部５１の内側に当接して、外側金具２０を浴槽外壁５２に引掛けておき、作業員は、浴槽５０の内側から、図４及び図５に示すように、治具１０の後端１４つば（つばでなく筒端だけでもよい）を握って、外側金具２０を浴槽外壁５２に外接させ、内側金具３０を治具１０の胴部１１に外嵌させつつ、浴槽外壁５２に外接させた外側金具２０の雌ねじ２４に、内側金具３０の雄ねじ３２を螺入すれば、開口部５１をはさんで、外側金具２０と内側金具３０の取付ができる。
治具１０を取り外すときは、図６に示すように、後端１４付近を握って、再び、時計回りに回転させると、突起部１２の先端１２１が内筒２１の入口凹み２１２から外れて、図２−３に示すように、先端１２１が胴部１１の外周面まで没入するので、治具１０を内筒２１から引き抜くことができる。
【産業上の利用可能性】
【００１０】
本発明品は、小型、軽量、製作容易で安価に量産できる。
【符号の説明】
【００１１】
１０                  治具
１１                  胴部
１２                  突起部
１３                  つば
２０                  外側金具
２１                  内筒
２１２                入口凹み
３０                  内側金具
５０                  浴槽
５１                  浴槽開口部
【図１】
2010200874.tif 000003
【図２−１】
2010200874.tif 000004
【図２−２】
2010200874.tif 000005
【図２−３】
2010200874.tif 000006
【図３】
2010200874.tif 000007
【図４】
2010200874.tif 000008
【図５】
2010200874.tif 000009
【図６】
2010200874.tif 000010